(57)【特許請求の範囲】
【請求項１】
断熱材を充填する扉からリード線を引き出すためのリード線引出し部材を備えた冷蔵庫において、
前記リード線引出し部材は少なくとも、扉内板に取り付けられるリード線収納部材と、前記リード線収納部材と組み合わされるリード線固定部材とで構成され、
前記リード線収納部材は、前記リード線固定部材との間で前記リード線を収納する空間が形成されて、前記空間の内部と外部を連通する開口が形成されており、
前記リード線固定部材は、前記リード線収納部材と組み合わせた際に前記リード線の少なくとも一部を前記開口正面から臨むように位置させるリード線支え部を有し、
前記リード線支え部は、前記リード線固定部材の底面から突出して、前記開口正面から少なくとも前記リード線の一部が臨むように該リード線支え部の先端に前記リード線を係止する係止部を有し、
前記リード線の先端にコネクタを有し、前記リード線固定部材は、前記リード線支え部の根元に前記コネクタの動きを抑制するためのコネクタ固定部が設けられ、
前記コネクタ固定部は前記リード線支え部に固定された前記リード線の弾性を利用して前記コネクタを前記コネクタ固定部に弾性力が作用した状態で固定することを特徴とする冷蔵庫。
【請求項２】
前記コネクタ固定部の深さを５mm〜１５mmとしたことを特徴とする、請求項１記載の冷蔵庫。
【請求項３】
前記コネクタ固定部は、複数の大きさ及び形状の前記コネクタが挿入できる形状としたことを特徴とする、請求項１記載の冷蔵庫。
【発明の詳細な説明】
【技術分野】
【０００１】
本発明は、冷蔵庫に関する。
【背景技術】
【０００２】
本技術分野の背景技術として、特許第３４４３５１２号公報（特許文献１）がある。この公報には、「リード線引出し部材は、収納部材と蓋部材とよりなり、収納部材にはリード線を収納するための収納空間が設けられ、蓋部材を被せることにより収納空間を閉塞するものである」と記載されている。
【先行技術文献】
【特許文献】
【０００３】
【特許文献１】特許第３４４３５１２号公報
【発明の概要】
【発明が解決しようとする課題】
【０００４】
前記特許文献１には、リード線引出し部材の構造が記載されている。しかし、特許文献１のリード線引出し部材では、リード線は蓋部材を被せるときに挟み込みが無い様に収納部材に設けられた収納空間に収められているため、扉のウレタン発泡後にリード線は開口部から見ることができない。そのため、リード線を取り出しにくく、場合によってはリード線を取り出すための特殊な工具を必要とし、作業に手間がかかる。
【０００５】
そこで本発明は、リード線が扉のウレタン発泡時には挟み込みが発生しない様に固定され、且つウレタン発泡後には開口部から容易に引き出すことができるリード線引出し部材を有する冷蔵庫を提供することを目的とする。
【課題を解決するための手段】
【０００６】
上記課題を解決するために、例えば特許請求の範囲に記載の構成を採用する。本願は上記課題を解決する手段を複数含んでいるが、その一例を挙げるならば、断熱材を充填する扉からリード線を引き出すためのリード線引出し部材を備えた冷蔵庫において、前記リード線引出し部材は少なくとも、扉内板に取り付けられるリード線収納部材と、前記リード線収納部材と組み合わされるリード線固定部材とで構成され、前記リード線収納部材は、前記リード線固定部材との間で前記リード線を収納する空間が形成されて、前記空間の内部と外部を連通する開口が形成されており、前記リード線固定部材は、前記リード線収納部材と組み合わせた際に前記リード線の少なくとも一部を前記開口正面から臨むように位置させるリード線支え部を有し、前記リード線支え部は、前記リード線固定部材の底面から突出して、前記開口正面から少なくとも前記リード線の一部が臨むように該リード線支え部の先端に前記リード線を係止する係止部を有し、前記リード線の先端にコネクタを有し、前記リード線固定部材は、前記リード線支え部の根元に前記コネクタの動きを抑制するためのコネクタ固定部が設けられ、前記コネクタ固定部は前記リード線支え部に固定された前記リード線の弾性を利用して前記コネクタを前記コネクタ固定部に弾性力が作用した状態で固定する。
【発明の効果】
【０００７】
本発明によれば、リード線が扉のウレタン発泡時には挟み込みが発生しない様に固定され、且つウレタン発泡後には開口部から容易に引き出すことができるリード線引出し部材を有する冷蔵庫を提供することを目的とする。
【０００８】
上記した以外の課題、構成及び効果は、以下の実施形態の説明により明らかにされる。
【図面の簡単な説明】
【０００９】
【図１】本発明の一実施例に係る冷蔵庫の正面図である。
【図２】図１に示す冷蔵庫の冷蔵室扉左の一部を透視した斜視図である。
【図３】本発明のリード線引出し部材周辺の分解斜視図である。
【図４】本発明のリード線引出し部材周辺の断面図である。
【図５】本発明の他の実施例に係るリード線固定部材の斜視図である。
【図６】本発明の他の実施例に係るリード線固定部材の斜視図である。
【発明を実施するための形態】
【００１０】
本発明は、断熱材を充填する扉からリード線を引き出すためのリード線引出し部材を備えた冷蔵庫において、前記リード線引出し部材は少なくとも、扉内板に取り付けられるリード線収納部材と、前記リード線収納部材と組み合わされるリード線固定部材とで構成され、前記リード線収納部材は、前記リード線固定部材との間で前記リード線を収納する空間が形成されて、前記空間の内部と外部を連通する開口が形成されており、前記リード線固定部材は、前記リード線収納部材と組み合わせた際に前記リード線の少なくとも一部を前記開口正面から臨むように位置させるリード線支え部を有し、前記リード線支え部は、前記リード線固定部材の底面から突出して、前記開口正面から少なくとも前記リード線の一部が臨むように該リード線支え部の先端に前記リード線を係止する係止部を有し、前記リード線の先端にコネクタを有し、前記リード線固定部材は、前記リード線支え部の根元に前記コネクタの動きを抑制するためのコネクタ固定部が設けられ、前記コネクタ固定部は前記リード線支え部に固定された前記リード線の弾性を利用して前記コネクタを前記コネクタ固定部に弾性力が作用した状態で固定する。
【００１１】
これにより、リード線は扉のウレタン発泡時には挟み込みが発生しない様に固定され、且つウレタン発泡後には開口部から容易に引き出して回転仕切と接続し、収納空間に収納することができる。
【００１２】
また、リード線固定部材とリード線収納部材との組み立て誤差を低減して、互いの位置決めが容易である。
【００１３】
また、リード線を容易にリード線固定部材に係止することができ、さらに位置ずれを防止できる。
【００１４】
また、リード線は扉のウレタン発泡時には挟み込みが発生しない様に仮固定でき、かつ扉発泡後にリード線の弾性を利用して、コネクタをコネクタ固定部から外して、開口からリード線を容易に引き出すことができる。
【００１５】
また、前記コネクタ固定部の深さを５mm〜１５mmとした。これにより、扉発泡後にリード線の弾性を利用して、コネクタをコネクタ固定部から外しやすくなり、開口からリード線を容易に引き出すことができる。
【００１６】
また、前記コネクタ固定部は、複数の大きさ及び形状の前記コネクタが挿入できる形状とした。これにより、複数種類の大きさや形状の扉に、共用のリード線引出し部材を適用できるので、コストを低減でき、組み立て効率を向上することができる。
【００１７】
以下、実施例について、図面を用いて説明する。図１は本発明を備えた冷蔵庫の正面図であり、図２は図１冷蔵庫の冷蔵室扉左の斜視図である。
【００１８】
図１において、１は冷蔵庫本体であり、この冷蔵庫本体１は内部に上から冷蔵室２、冷凍室３、野菜室４等を有している。５は冷蔵室扉で観音開き式の左右の扉（５ａ、５ｂ）より構成されている。６は冷凍室扉で３つの扉（製氷室扉６ａ、第二冷凍室扉６ｂ、第一冷凍室扉６ｃ）より構成されている。また７は野菜室扉を示す。
【００１９】
冷蔵室左扉５ａは、折り曲げた鋼板やガラス板で形成された扉外板２０と、扉外板２０の後ろ側に取り付けられる扉内板２１、扉外板２０の上下にそれぞれ設けられた扉上キャップ２２と扉下キャップ２３により構成される。扉の形状によっては扉外板２０の左右にそれぞれキャップを有する場合もある。
【００２０】
冷蔵室左扉５ａは扉外板２０、キャップによって形成された空間にウレタン原液を注入し、扉内板２１で蓋をしてウレタン発泡をさせる。
【００２１】
扉内板２１の右側面には、後方へ突出した土手形状の突出部２６が形成されている。突出部２６の右側面には、リード線３５を引き出すための開口部２７が形成されている。また、突出部２６の右側面には、冷蔵室扉５ａ、５ｂを閉じた時に両扉間から冷気が漏れないようにするための回転式縦仕切１６が回動自在に取り付けられる。この回転式縦仕切１６には、結露防止ヒータが内蔵され、回転式縦仕切１６の表面を結露が発生しない温度に維持している。
【００２２】
本実施例のリード線引出し部材３０は、図２に示す通り冷蔵室左扉５ａの右側上部にウレタン内に埋設され、冷蔵室左扉５ａのヒンジ部に設けられたヒンジ孔２５から引き込まれたリード線３５を、冷蔵室左扉５ａの右側の開口部２７から引き出して回転式縦仕切１６と接続するためのものである。また、接続後のリード線３５を収納するためのものでもある。
【００２３】
次に、図３〜図５において、図３はリード線引出し部材３０周辺の分解斜視図であり、図４はリード線引出し部材３０周辺の断面図である。図５及び図６は他の実施例のリード線固定部材３２の斜視図である。
【００２４】
リード線引出し部材３０は、扉内板２１に取り付けられるリード線収納部材３１と、他の扉部材、例えば扉上キャップ２２に取り付けられるリード線固定部材３２より構成され、前述の扉ウレタン発泡時にリード線収納部材３１とリード線固定部材３２が組み合わせることにより、リード線３５の収納空間２９を形成すると共に、リード線３５の収納空間２９へのウレタン侵入を防止する。尚、リード線固定部材３２は扉上キャップ２２ではなく扉下キャップ２３や左右キャップ、扉外板２０に取り付けても良い。
【００２５】
リード線収納部材３１は、扉内板２１の突出部２６の内側にフィットする形状であると共に、右側面にリード線３５を引き出すための引出し開口３３が設けられており、扉内板２１に取り付けた際に開口部２７と一致する。
【００２６】
リード線固定部材３２は、底面から突出したリード線支え部３７を有する。リード線支え部３７はリード線３５をテープ４０で巻きつける等で固定し、リード線収納部材３１と組み合わせた際に、リード線３５の少なくとも一部が引出し開口３３から見える位置まで導く。そのため、充分な長さと強度が必要であり、断面形状はコの字形状やＨ形状が望ましい。更に先端部にはリード線３５の位置が安定するように溝形状３９のような係止部を形成することが望ましい。
【００２７】
また、リード線支え部３７の位置はリード線３５の取り出しや収納を阻害することのないように、リード線収納部材３１と組み合わせた際に、引出し開口３３から先端だけが見えて全体が見えない位置、もしくは全体が見えないように端に寄せることが望ましい。
【００２８】
リード線支え部３７の根元にはコネクタ固定部３８が設けられ、リード線３５の末端に取り付けられたコネクタ３６の先端を挿入し、リード線支え部３７に固定されたリード線３５の弾性を利用することにより、コネクタ３６がコネクタ固定部３８に弾性力を作用させた状態で仮固定される。
【００２９】
また、リード線３５が扉発泡後に開口部２７から容易に引き出せるように、コネクタ固定部３８の深さＤは浅過ぎず深過ぎない寸法として５〜１５mmが最適である。また、リード線３５の弾性を利用するので、コネクタ固定部３８の形状はコネクタ３６の先端形状と一致させる必要がないため、例えば図５や図６の様に、コネクタ３６の一部を押さえる形状でも良い。また、コネクタ３６の形状や大きさが複数存在しても、リード線固定部材３２は１種類で対応することができる。
【００３０】
上記の構造により、リード線３５は扉のウレタン発泡時には挟み込みが発生しない様に固定され、且つウレタン発泡後には開口部２７から容易に引き出して回転式縦仕切１６と接続し、収納空間２９に収納することができる。
【００３１】
尚、本発明は上記した実施例に限定されるものではなく、様々な変形例が含まれる。例えば、上気した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３２】
２０  扉外板
２１  扉内板
２６  突出部
２７  開口部
２９  収納空間
３０  リード線引出し部材
３１  リード線収納部材
３２  リード線固定部材
３３  引出し開口
３５  リード線
３６  コネクタ
３７  リード線支え部
３８  コネクタ固定部
【図１】
0005637951.tif 000002
【図２】
0005637951.tif 000003
【図３】
0005637951.tif 000004
【図４】
0005637951.tif 000005
【図５】
0005637951.tif 000006
【図６】
0005637951.tif 000007